(57)【要約】      （修正有）【課題】使用者の望むイメージデータが得られなかった場合に、先回設定した読取条件から類推して設定することを容易に実現させ、かつコストを抑え、読取条件を保存する記憶装置の容量を少なくする。【解決手段】ネットワーク２０上に、原稿を読み取ってイメージデータ１６を入力する画像入力装置１００と、一つまたは複数の端末装置２１０と、を相互通信可能に接続した画像入力システムであって、画像入力装置１００は、読み取ったイメージデータ１６を端末装置２１０に送信する際、同時に当該イメージデータ１６を作成した際の読取条件設定データを送信する。【選択図】図１
2010041325.tif 000002
【特許請求の範囲】
【請求項１】
ネットワーク上に、
原稿を読み取ってイメージデータを入力する画像入力装置と、
一つまたは複数の端末装置と、
を相互通信可能に接続した画像入力システムであって、
前記画像入力装置は、読み取ったイメージデータを前記端末装置に送信する際、同時に当該イメージデータを作成した際の読取条件設定データを送信することを特徴とする画像入力システム。
【請求項２】
前記画像入力装置は、前記端末装置から送信される読取条件設定データを受信し、この受信した読取条件設定データにしたがって原稿を読み取ることを特徴とする請求項１に記載の画像入力システム。
【請求項３】
前記画像入力装置は、前記端末装置から送信される読取条件設定データを記憶する記憶手段を有することを特徴とする請求項２に記載の画像入力システム。
【請求項４】
前記記憶手段は、不揮発性の記憶装置であることを特徴とする請求項３に記載の画像入力システム。
【請求項５】
前記端末装置は、前記ネットワークを介して前記画像入力装置と直接通信して前記読取条件設定データを自動入力させるプログラムデータをイメージデータと共に送付することを特徴とする請求項２、３または４に記載の画像入力システム。
【請求項６】
前記端末装置は、前記読取条件設定データの送信に電子メールを使用し、前記読取条件設定データを設定／変更したデータを添付した電子メールを返信し、前記画像入力装置に前記読取条件設定データを記憶させることを特徴とする請求項２、３、または４に記載の画像入力システム。
【請求項７】
前記端末装置は、前記読取条件設定データの送信に電子メールを使用し、この電子メールに前記読取条件設定データのプログラムを格納し、その電子メールを返信し、前記画像入力装置に前記読取条件設定データを記憶させることを特徴とする請求項３または４に記載の画像入力システム。
【請求項８】
前記端末装置は、前記読取条件設定データの送信にテキストデータのみの電子メールを使用し、その電子メールのテキストデータを所望の設定に変更して返信し、前記画像入力装置に前記読取条件設定データを記憶させることを特徴とする請求項３または４に記載の画像入力システム。
【請求項９】
前記端末装置は、前記読取条件設定データを前記画像入力装置内の記憶手段に一時保存し、イメージデータ閲覧後に前記読取条件設定データの送信可否を使用者に選択させることを特徴とする請求項３〜８のいずれか一つに記載の画像入力システム。
【請求項１０】
前記画像入力装置は、前記読取条件設定データを前記端末装置に送信する前に送信可否を使用者に選択させることを特徴とする請求項１〜８のいずれか一つに記載の画像入力システム。
【発明の詳細な説明】
【技術分野】
【０００１】
本発明は、ＬＡＮなどのネットワーク上に、イメージスキャナ、複写機、複合機などと、およびパーソナルコンピュータなどの端末装置とを相互通信可能に接続した画像入力システムに関するものである。
【背景技術】
【０００２】
従来、イメージスキャナなどにおいて、読取動作が完了する毎、その際に設定した読取条件を書換可能な不揮発性メモリに記憶させることで、再読取が必要な場合に前回と同じ読取条件を呼び出すことを可能とする技術が開示されている（たとえば、特許文献１参照）。それによりユーザーが改めて設定し直す手間を省いている。イメージスキャナに代表される画像入力装置において、ＬＡＮなどのネットワークＩ／Ｆを備えたものは、読み取ったイメージデータをネットワークを通じて送信することができる。このような画像入力装置はＰＣ等の端末に直接接続しなくともネットワーク上に接続されていればよいことから、単体で画像入力装置の機能を満足することができる。そのため、複数人数で共有できる機器として使われることが多い。
【０００３】
しかし、複数人数で共有できることから必ずしも全ての使用者の近くにイメージスキャナが置かれるとは限らない。使用者によっては、離れた位置に画像入力装置が設置されることもあり、不便となることもある。そのような場合、原稿を一回読み取ることで、望みのイメージデータを作成できれば良いが、設定の種類が原稿の種類に合っていなかったり、設定を間違えた場合などで所望とするイメージデータを得られない場合は再度読み取りをしなければならない。その場合は、再度画像入力装置に向かい、先回の設定とは異なる設定に変更して読取を実施する。読取条件の設定が単純なものであったり、読み取り直後であれば設定内容を覚えていることが多く、先回のイメージデータの結果から類推することで望むイメージデータを得られる読取条件を再設定することが可能である。しかし、読取条件が複雑な設定であったり、読み取り後にしばらく時間が経過した場合などは、先回設定した読取条件の設定を覚えていることは難しいため、所望とするイメージデータを得るための読取条件を先回設定した読取条件から類推して設定することは難しい。最悪の場合、再び先回と同じ読取条件を設定し、時間を浪費してしまう可能性もある。それを防ぐため、たとえば、画像入力装置に読取ったイメージデータを表示できるディスプレイを設けることで、その場で何度も繰り返し確認でき、望むイメージデータを作成させる技術も知られている。しかし、ディスプレイを設けることは費用がかかり、実現させることが難しい。また、特許文献１では読取動作が完了する毎、その際に設定した読取条件を書換可能な不揮発性記憶装置に記憶させることで、再読み取りが必要な場合に前回と同じ読取条件を呼び出すことを可能とし、それによりユーザーが改めて設定し直す手間をなくしている。
【０００４】
【特許文献１】特開２００３−１８３３５号公報
【発明の開示】
【発明が解決しようとする課題】
【０００５】
しかしながら、上記に示されるような従来の技術にあっては、読み取る度に記憶することから、多くの記憶領域をもった不揮発性記憶装置を用意しなければならずコストアップを招来させていた。また、記憶装置の記憶領域を少なくした場合や、記憶領域をすべて使ってしまった場合には、過去の読取条件のデータを消去しなければならない。そうした場合、しばらく時間が経過していた場合に読取条件が不揮発性記憶装置に残っていない可能性もあるため、使用者の望むイメージデータが容易に得られないことがあった。
【０００６】
本発明は、上記に鑑みてなされたものであって、使用者の望むイメージデータが得られなかった場合に、先回設定した読取条件から類推して設定することを容易に実現させ、かつコストを抑え、読取条件を保存する記憶装置の容量を少なくすることを目的とする。
【課題を解決するための手段】
【０００７】
上述した課題を解決し、目的を達成するために、請求項１にかかる発明は、ネットワーク上に、原稿を読み取ってイメージデータを入力する画像入力装置と、一つまたは複数の端末装置と、を相互通信可能に接続した画像入力システムであって、前記画像入力装置は、読み取ったイメージデータを前記端末装置に送信する際、同時に当該イメージデータを作成した際の読取条件設定データを送信することを特徴とする。
【０００８】
また、請求項２にかかる発明は、請求項１に記載の画像入力システムにおいて、前記画像入力装置は、前記端末装置から送信される読取条件設定データを受信し、この受信した読取条件設定データにしたがって原稿を読み取ることを特徴とする。
【０００９】
また、請求項３にかかる発明は、請求項２に記載の画像入力システムにおいて、前記画像入力装置は、前記端末装置から送信される読取条件設定データを記憶する記憶手段を有することを特徴とする。
【００１０】
また、請求項４にかかる発明は、請求項３に記載の画像入力システムにおいて、前記記憶手段は、不揮発性の記憶装置であることを特徴とする。
【００１１】
また、請求項５にかかる発明は、請求項２，３または４に記載の画像入力システムにおいて、前記端末装置は、前記ネットワークを介して前記画像入力装置と直接通信して前記読取条件設定データを自動入力させるプログラムデータをイメージデータと共に送付することを特徴とする。
【００１２】
また、請求項６にかかる発明は、請求項２，３または４に記載の画像入力システムにおいて、前記端末装置は、前記読取条件設定データの送信に電子メールを使用し、前記読取条件設定データを設定／変更したデータを添付した電子メールを返信し、前記画像入力装置に前記読取条件設定データを記憶させることを特徴とする。
【００１３】
また、請求項７にかかる発明は、請求項３または４に記載の画像入力システムにおいて、前記端末装置は、前記読取条件設定データの送信に電子メールを使用し、この電子メールに前記読取条件設定データのプログラムを格納し、その電子メールを返信し、前記画像入力装置に前記読取条件設定データを記憶させることを特徴とする。
【００１４】
また、請求項８にかかる発明は、請求項３または４に記載の画像入力システムにおいて、前記端末装置は、前記読取条件設定データの送信にテキストデータのみの電子メールを使用し、その電子メールのテキストデータを所望の設定に変更して返信し、前記画像入力装置に前記読取条件設定データを記憶させることを特徴とする。
【００１５】
また、請求項９にかかる発明は、請求項３〜８のいずれか一つに記載の画像入力システムにおいて、前記端末装置は、前記読取条件設定データを前記画像入力装置内の記憶手段に一時保存し、イメージデータ閲覧後に前記読取条件設定データの送信可否を使用者に選択させることを特徴とする。
【００１６】
また、請求項１０にかかる発明は、請求項１〜８のいずれか一つに記載の画像入力システムにおいて、前記画像入力装置は、前記読取条件設定データを前記端末装置に送信する前に送信可否を使用者に選択させることを特徴とする。
【発明の効果】
【００１７】
本発明にかかる画像入力システムは、画像入力装置が原稿を読取った際にイメージデータと共にイメージデータを作成した際に設定した読取条件を記したデータを添付もしくは組み込み端末装置に送信することにより、使用者は同じ条件で読取りたい場合や、先回と一部違う条件で原稿を読み取りたい場合などに、読取条件を記したデータを参照することで、使用者の記憶に頼ることなく確実に設定できるので、使用者の望むイメージデータが得られなかった場合に、先回設定した読取条件から類推して設定することを容易に実現させ、かつコストを抑え、読取条件を保存する記憶装置の容量を少なくするという効果を奏する。
【発明を実施するための最良の形態】
【００１８】
以下に添付図面を参照して、この発明にかかる画像入力システムの最良な実施の形態を詳細に説明する。
【００１９】
（実施の形態）
図１は、本発明の実施の形態にかかる画像入力装置およびシステムの構成を示すブロック図である。この図１において、画像入力装置１００は、スキャナユニット１１０、画像処理ユニット１２０、コントロールユニット１３０、操作ユニット１４０を備える。スキャナユニット１１０は、ミラー,ランプ,レンズ,ＣＣＤ等の光学ユニット１１１、アナログ信号処理部１１２、ＡＤコンバータ１１３、を備える。コントロールユニット１３０は、ＣＰＵ１３１、ＲＡＭ１３２、不揮発性記憶装置１３３、を備える。操作ユニット１４０は、スイッチ類を有する入力部１４０、液晶ディスプレイなどの表示装置１４２を備える。符号２００は複数のＰＣなどの端末装置２１０と接続されたＬＡＮであり、ＬＡＮコントローラ１３４と接続されている。
【００２０】
スキャナユニット１１０は原稿を読取り、イメージデータ化する。画像処理ユニット１２０は、スキャナユニット１１０で読取り得られたイメージデータにシェーディング補正や黒補正、像域分離など各種画像処理などを行う。コントロールユニット１３０は、この画像入力装置１００全体の制御およびイメージデータに加工を行い、ＬＡＮコントローラ１３４を介してネットワークに送信させる。また、コントロールユニット１３０は画像処理ユニット１２０から送られたイメージデータをＲＡＭ１３２で一時保存し、必要な加工を施し、ＬＡＮコントローラ１３４にてＬＡＮ２００にデータを送信する。不揮発性記憶装置１３３は画像入力装置１００を動作させるソフトウェアを格納する。は操作ユニット１４０は、液晶ディスプレイ等に代表される表示装置１４２とスイッチなどの入力部１４１で構成され、使用者が読取条件等を設定する。操作部ユニット１４０で設定された読取条件にて原稿の読み取りを開始し、スキャナユニット１１０でイメージデータ化され、画像処理ユニット１２０やコントロールユニット１３０でデータが加工され、ＬＡＮ２００上のＰＣ等の端末装置２１０に対しイメージデータ１６を送信する。
【００２１】
[処理動作例１]
図２は、図１におけるシステムの処理動作例１の流れを示すブロック図である。すなわち、ここでは、読取ったイメージデータを端末に送信する際、同時にイメージデータを作成した際の画像入力装置１００の読取条件設定のデータを送信する例について示したものである。
【００２２】
ここでは、イメージデータ作成に伴い、コントロールユニット１３０において操作ユニット１４０で指定された読取条件をデータ化する。読取条件のデータは、コントロールユニット１３０で加工されたイメージデータに添付もしくは組み込み、ＰＣ等の端末装置２１０に読取条件設定データ１７として送信させる。
【００２３】
図３は、この実施の形態にかかる処理動作例１の流れを示すフローチャートである。この図３にしたがって動作を説明する。まず、画像入力装置１００の操作ユニット１４２にて読取条件を設定し(ステップＳ１１)、原稿の読み取りを開始する（ステップＳ１２）。続いて、読取後に画像入力装置１００はイメージデータを作成する（ステップＳ１３）と共に、操作ユニット１４０で指定した読取条件をデータ化した読取条件設定データを作成する（ステップＳ１４）。続いて、読取条件設定データはコントロールユニット１３０で加工されたイメージデータに添付もしくは組み込み、ＰＣ等の端末装置２１０に送信する（ステップＳ１５、Ｓ１６）。
【００２４】
続いて、ＰＣ等の端末装置２１０は、上記イメージデータと共に読取条件設定データを受信する（ステップＳ１７、Ｓ１８）。使用者は受信したイメージデータを確認する（ステップＳ１９）。続いて、再読み取りを行うか否かを判断し（ステップＳ２０）、再読み取りを行う場合、読取条件設定データを確認する（ステップＳ２１）。そして、画像入力装置１００の操作ユニット１４０で読取条件を設定し（ステップＳ２２）、確認する（ステップＳ２３）。その読取条件設定データがＯＫであれば、ステップＳ１２に戻って原稿読み取りを実行する。一方、読取条件設定データがＮＧであればステップＳ２２に戻る。
【００２５】
このように、前回の読み取り時においてそのイメージデータに不満がある場合は、読取条件設定データを確認し、イメージデータを作成した際の読取条件を確認する。使用者はそれを元に変更する条件を決め、イメージスキャナ（スキャナユニット１１０）で再び読取条件を設定し再度原稿を読取る。これを使用者の満足するまで繰り返し、望むイメージデータを入手する。
【００２６】
したがって、上記処理動作例によれば、画像入力装置１００が原稿を読取った際にイメージデータと共にイメージデータを作成した際に設定した読取条件を記したデータを添付もしくは組み込みＰＣ等の端末装置２１０に送信する機能を具備することにより、使用者は同じ条件で読取りたい場合や、先回と一部違う条件で原稿を読み取りたい場合などに、読取条件を記したデータを参照することで、使用者の記憶に頼ることなく確実に設定できる。また、誤った設定での原稿の読み取りを防止することにより、消費電流の削減の効果も期待できる。
【００２７】
[処理動作例２]
図４は、図１におけるシステムの処理動作例２の流れを示すブロック図である。すなわち、前記処理動作例１に加え、ＰＣ等の端末装置２１０から送信される読取条件設定データ１８を受信し、受信した読取条件にて原稿を読み取るものである。
【００２８】
図５は、この実施の形態にかかる処理動作例２の流れを示すフローチャートである。この図５にしたがって動作を説明する。まず、画像入力装置１００の操作ユニット１４２にて読取条件を設定し(ステップＳ３１)、原稿の読み取りを開始する（ステップＳ３２）。続いて、読み取り後に画像入力装置１００はイメージデータを作成する（ステップＳ３３）と共に、操作ユニット１４０で指定した読取条件をデータ化した読取条件設定データを作成する（ステップＳ３４）。続いて、読取条件設定データはコントロールユニット１３０で加工されたイメージデータに添付もしくは組み込み、ＰＣ等の端末装置２１０に送信する（ステップＳ３５、Ｓ３６）。
【００２９】
続いて、ＰＣ等の端末装置２１０は、上記イメージデータと共に読取条件設定データを受信する（ステップＳ３７、Ｓ３８）。使用者は受信したイメージデータを確認する（ステップＳ３９）。続いて、再読み取りを行うか否かを判断し（ステップＳ４０）、再読み取りを行う場合、読取条件設定データを展開し（ステップＳ４１）、読取条件を変更し（ステップＳ４２）、その読取条件データを画像入力装置１００に送信する（ステップＳ４３）。画像入力装置１００は上記読取条件データを受信し（ステップＳ４４）、読取条件を設定した後（ステップＳ４５）、確認する（ステップＳ４６）。ここで読取条件設定データがＯＫであれば、ステップＳ３２に戻って原稿読み取りを実行する。一方、読取条件設定データがＮＧであれば、操作ユニット１４０で読取条件を修正する（ステップＳ４７）。
【００３０】
このように、図５では、画像入力装置１００の操作ユニット１４０にて読取条件を設定し、原稿を読取る。読み取り後に以下の動作を実行する。画像入力装置１００はイメージデータと共に、操作ユニット１４０で指定した読取条件をデータ化した読取条件設定データを作成する。読取条件設定データはコントロールユニット１３０で加工されたイメージデータに添付もしくは組み込み、ＰＣ等の端末装置２１０に送信する。ＰＣ等の端末装置２１０はイメージデータと共に読取条件設定データを受信する。使用者は受信したイメージデータを確認し、そのデータに不満がある場合は、読取条件設定データを確認し、イメージデータを作成した際の読取条件を確認する。使用者はそれを元に変更する条件を決め、読取条件設定データに変更する条件を書き込み、画像入力装置１００に変更した読取条件設定データを送信する。画像入力装置１００は読取条件設定データを受信し、データに含まれる読取条件を抽出し、読取条件として設定する。使用者は原稿を所持し画像入力装置１００にて再度読取る。これを使用者の満足するまで繰り返し、望むイメージデータを入手する。
【００３１】
したがって、処理動作例１に加え、ＰＣ等の端末装置２１０から読取条件を設定したデータを画像入力装置１００に送信し、画像入力装置１００はそれを受信する機能を具備することにより、使用者はＰＣ等の端末装置２１０でイメージデータを参照しながら読取条件を設定することができ、望むイメージデータの取得を助けることができる。
【００３２】
[処理動作例３]
図６は、図１におけるシステムの処理動作例３の流れを示すブロック図である。すなわち、上記処理動作例２に加え、画像入力装置１００に記憶装置１３５を設け、ＰＣ等の端末装置２１０から受信した読取条件設定データを保存し、使用者が読み取りを行なう際に読取条件を呼び出して読取る。
【００３３】
図７は、この実施の形態にかかる処理動作例３の流れを示すフローチャートである。この図７にしたがって動作を説明する。まず、画像入力装置１００の操作ユニット１４２にて読取条件を設定し(ステップＳ５１)、原稿の読み取りを開始する（ステップＳ５２）。続いて、読み取り後に画像入力装置１００はイメージデータを作成する（ステップＳ５３）と共に、操作ユニット１４０で指定した読取条件をデータ化した読取条件設定データを作成する（ステップＳ５４）。続いて、読取条件設定データはコントロールユニット１３０で加工されたイメージデータに添付もしくは組み込み、ＰＣ等の端末装置２１０に送信する（ステップＳ５５、Ｓ５６）。
【００３４】
続いて、ＰＣ等の端末装置２１０は、上記イメージデータと共に読取条件設定データを受信する（ステップＳ５７、Ｓ５８）。使用者は受信したイメージデータを確認する（ステップＳ５９）。続いて、再読み取りを行うか否かを判断し（ステップＳ６０）、再読み取りを行う場合、読取条件設定データを展開し（ステップＳ６１）、読取条件を変更し（ステップＳ６２）、その読取条件データを画像入力装置１００に送信する（ステップＳ６３）。画像入力装置１００は上記読取条件設定データを受信し（ステップＳ６４）、そのデータを記憶装置１３５に保存する（ステップＳ６５）。そして、上記読取条件設定データを操作ユニット１４０で呼び出し（ステップＳ６６）、確認する（ステップＳ６７）。ここで読取条件設定データがＯＫであれば、ステップＳ５２に戻って原稿読み取りを実行する。一方、読取条件設定データがＮＧであれば、操作ユニット１４０で読取条件を修正する（ステップＳ６８）。
【００３５】
このように、図７では、画像入力装置１００の操作ユニット１４０にて読取条件を設定し、原稿を読取る。読み取り後に以下の動作を実行する。読み取り後に画像入力装置１００はイメージデータと共に、操作ユニット１４０で指定した読取条件をデータ化した読取条件設定データを作成する。 読取条件設定データはコントロールユニット１３０で加工されたイメージデータに添付もしくは組み込み、ＰＣ等の端末装置２１０に送信する。ＰＣ等の端末装置２１０はイメージデータと共に読取条件設定データを受信する。使用者は受信したイメージデータを確認し、そのデータに不満がある場合は、読取条件設定データを確認し、イメージデータを作成した際の読取条件を確認する。使用者はそれを元に変更する条件を決め、読取条件設定データに変更する条件を書き込み、画像入力装置１００に変更した読取条件設定データを送信する。画像入力装置１００は読取条件設定データを受信し、データに含まれる読取条件を抽出し、記憶装置１３５に保存する。使用者は原稿を所持し画像入力装置１００に向かい、記憶装置１３５に格納した読取条件を操作ユニット１４０にて呼び出す。呼び出した読取条件で問題あれば条件を変更、問題なければ読取を開始する。呼び出した後の読取条件設定データは読取終了後に破棄する。これを使用者の満足するまで繰り返し、望むイメージデータを入手する。
【００３６】
したがって、上述した処理動作例によれば、処理動作例２に加え、ＰＣ等の端末装置２１０から送信した読取条件設定データを記憶装置に保存する機能を具備することにより、読取条件設定データの送信後、使用者の都合に合わせて再読み取りを実施することができる。また、読取条件の設定データの保存が再読み取りが必要な場合のみに限定することができることで、画像入力装置に搭載する記憶装置の容量を少なく抑えることができる。 
【００３７】
[処理動作例４]
図８は、図１におけるシステムの処理動作例４の流れを示すブロック図である。すなわち、ＰＣ等の端末装置２１０より受信した読取条件設定データを格納する記憶装置にフラッシュメモリ等に代表される不揮発性記憶装置１３３を使用する。記憶装置に不揮発性記憶装置を用いることで、読取条件設定データを送信後に画像入力装置に異常もしくは停電等で画像入力装置の電源が遮断された場合でも、読取条件設定データを保持することが可能となる。
【００３８】
図９は、この実施の形態にかかる処理動作例４の流れを示すフローチャートである。この図９にしたがって動作を説明する。まず、画像入力装置１００の操作ユニット１４２にて読取条件を設定し(ステップＳ７１)、原稿の読み取りを開始する（ステップＳ７２）。続いて、読み取り後に画像入力装置１００はイメージデータを作成する（ステップＳ７３）と共に、操作ユニット１４０で指定した読取条件をデータ化した読取条件設定データを作成する（ステップＳ７４）。続いて、読取条件設定データはコントロールユニット１３０で加工されたイメージデータに添付もしくは組み込み、ＰＣ等の端末装置２１０に送信する（ステップＳ７５、Ｓ７６）。
【００３９】
続いて、ＰＣ等の端末装置２１０は、上記イメージデータと共に読取条件設定データを受信する（ステップＳ７７、Ｓ７８）。使用者は受信したイメージデータを確認する（ステップＳ７９）。続いて、再読み取りを行うか否かを判断し（ステップＳ８０）、再読み取りを行う場合、読取条件設定データを展開し（ステップＳ８１）、画像入力装置１００と接続する（ステップＳ８２）。続いて、ブラウザにて読取条件を変更し（ステップＳ８３）、その読取条件データを画像入力装置１００に送信する（ステップＳ８４）。画像入力装置１００は上記読取条件設定データを受信し（ステップＳ８５）、そのデータを不揮発性記憶装置１３３に保存する（ステップＳ８６）。そして、上記読取条件設定データを操作ユニット１４０で呼び出し（ステップＳ８７）、確認する（ステップＳ８８）。ここで読取条件設定データがＯＫであれば、ステップＳ７２に戻って原稿読み取りを実行する。一方、読取条件設定データがＮＧであれば、操作ユニット１４０で読取条件を修正する（ステップＳ８９）。
【００４０】
このように、図９では、画像入力装置１００の操作ユニット１４０にて読取条件を設定し、原稿を読取る。そして、以下の動作を実行する。読み取り後に画像入力装置１００はイメージデータと共に、操作ユニット１４０で指定した読取条件をデータ化した読取条件設定データを作成する。読取条件設定データには画像入力装置１００と通信するためのネットワークアドレスおよび読取条件を自動設定するプログラムを組み込む。それをコントロールユニット１３０で加工されたイメージデータに添付もしくは組み込み、ＰＣ等の端末装置２１０に送信する。ＰＣ等の端末装置２１０はイメージデータと共に読取条件設定データを受信する。使用者は受信したイメージデータを確認し、そのデータに不満がある場合は、読取条件設定データを確認する。その際、読取条件設定データに組み込まれたプログラムが起動し、ブラウザソフトを使用し、画像入力装置１００とＬＡＮ２００で接続される。
【００４１】
その後、読取条件設定の値が自動入力される。図１０はＰＣ等の端末装置２１０の画面でのイメージ図の一例である。使用者はそれを確認し、変更が必要な箇所については数値／設定を変更する。変更後、読取条件を画像入力装置１００へ送信する。画像入力装置１００は読取条件設定データを受信し、データに含まれる読取条件を抽出し、不揮発性記憶装置１３３に格納する。使用者は原稿を所持し画像入力装置１００に向かい、不揮発性記憶装置１３３に格納した読取条件を操作ユニット１４０にて呼び出す。呼び出した読取条件で問題あれば条件を変更、問題なければ読取を開始する。呼び出した後の読取条件設定データは読取終了後に破棄する。これを使用者の満足するまで繰り返し、望むイメージデータを入手する。
【００４２】
したがって、上述した処理動作例によれば、プログラムを用い、画像入力装置１００への接続および先回実施した読取条件の設定を自動で行うことにより、上述した作用効果に加え、使用者が画像入力装置１００を意識することなく容易に読取条件を設定させることが可能となる。
【００４３】
[処理動作例５]
図１１は、この実施の形態にかかる処理動作例５の流れを示すフローチャートである。この図１１にしたがって動作を説明する。まず、画像入力装置１００の操作ユニット１４０にて読取条件を設定し（ステップＳ９１）、原稿の読み取りを開始する（ステップＳ９２）。続いて、画像入力装置１００はイメージデータを作成する（ステップＳ９３）と共に、操作ユニット１４０で指定した読取条件をデータ化した読取条件設定データを作成し（ステップＳ９４）、さらに電子メールを作成し（ステップＳ９５）、その電子メールにイメージデータおよび読取条件設定データを添付して端末装置２１０に対して送信する（ステップＳ９６）。
【００４４】
続いて、端末装置２１０は、上記電子メールを受信し（ステップＳ９７）、イメージデータを確認する（ステップＳ９８）。その後、続いて、再読み取りを行うか否かを判断し（ステップＳ９９）、再読み取りを行う場合、読取条件設定データを修正する（ステップＳ１００）。さらにこの修正した読取条件設定データを電子メールに添付して（ステップＳ１０１）、その電子メールを画像入力装置１００に送信する（ステップＳ１０２）。
【００４５】
続いて、画像入力装置１００は、端末装置２１０から送信される電子メールを受信し（ステップＳ１０３）、その電子メールに含まれる読取条件設定データを抽出し（ステップＳ１０４）、不揮発性記憶装置１３３に保存する（ステップＳ１０５）。続いて、揮発性記憶装置１３３に保存した読取条件を操作ユニット１４０にて呼び出し（ステップＳ１０６）、確認する（ステップＳ１０７）。ここで読取条件設定データがＯＫであれば、ステップＳ９２に戻って原稿読み取りを実行する。一方、読取条件設定データがＮＧであれば、操作ユニット１４０で読取条件を修正する（ステップＳ１０８）。
【００４６】
このように、この例では画像入力装置１００の操作ユニット１４０にて読取条件を設定し、原稿を読み取った後、以下の動作を実行する。読み取り後に画像入力装置１００はイメージデータと共に、操作ユニットで指定した読取条件をデータ化した読取条件設定データを作成、電子メールに添付して送信する。イメージデータと共に同じ電子メールに添付して送信しても、別としてもどちらでも構わない。使用者に選択できると望ましい。画像入力装置１００は電子メールを受信する。電子メールに添付されたイメージデータに不満があるときは、使用者はＰＣ等の端末装置２１０にて電子メールより読取条件設定データを取得し、条件の変更が必要な箇所を修正する。修正した読取条件設定データは受信した電子メールに添付して画像入力装置１００へ返信する。画像入力装置１００は電子メールを受信し、電子メールに含まれる読取条件設定データを抽出し、不揮発性記憶装置１３３に保存する。使用者は原稿を所持し画像入力装置に向かい不揮発性記憶装置１３３に保存した読取条件を操作ユニット１４０にて呼び出す。呼び出した読取条件で問題あれば条件を変更、問題なければ読取を開始する。呼び出した後の読取条件設定データは読取終了後に破棄する。これを使用者の満足するまで繰り返し、望むイメージデータを入手する。
【００４７】
したがって、上述した処理動作例によれば、読取条件設定データの送受信に電子メールを使用することにより、特殊なソフトウェアを使用することなく、ＰＣ等の端末装置２１０の環境に限定されずに使用することができる。
【００４８】
[処理動作例６]
図１２は、この実施の形態にかかる処理動作例６の流れを示すフローチャートである。この図１２にしたがって動作を説明する。まず、画像入力装置１００の操作ユニット１４０にて読取条件を設定し（ステップＳ１１１）、原稿の読み取りを開始する（ステップＳ１１２）。続いて、画像入力装置１００はイメージデータを作成する（ステップＳ１１３）と共に、操作ユニット１４０で指定した読取条件をデータ化した読取条件設定データを作成し（ステップＳ１１４）、さらに電子メールを作成し（ステップＳ１１５）、その電子メールにイメージデータおよび読取条件設定データを添付して端末装置２１０に対して送信する（ステップＳ１１６）。
【００４９】
続いて、端末装置２１０は、上記電子メールを受信し（ステップＳ１１７）、イメージデータを確認する（ステップＳ１１８）。その後、続いて、再読み取りを行うか否かを判断し（ステップＳ１１９）、再読み取りを行う場合、上記受信した電子メールを開き（ステップＳ１２０）、読取条件設定データを変更し（ステップＳ１２１）、画像入力装置１００に送信する（ステップＳ１２２）。
【００５０】
続いて、画像入力装置１００は、端末装置２１０から送信される電子メールを受信し（ステップＳ１２３）、その電子メールに含まれる読取条件設定データを抽出し（ステップＳ１２４）、不揮発性記憶装置１３３に保存する（ステップＳ１２５）。続いて、不揮発性記憶装置１３３に保存した読取条件を操作ユニット１４０にて呼び出し（ステップＳ１２６）、確認する（ステップＳ１２７）。ここで読取条件設定データがＯＫであれば、ステップＳ１１２に戻って原稿読み取りを実行する。一方、読取条件設定データがＮＧであれば、操作ユニット１４０で読取条件を修正する（ステップＳ１２８）。
【００５１】
このように、この例では画像入力装置１００の操作ユニット１４０にて読取条件を設定し、原稿を読み取った後、以下の動作を実行する。読み取り後に画像入力装置１００はイメージデータと共に、操作ユニット１４０で指定した読取条件をデータ化した読取条件設定データを作成する。読取条件設定データは、電子メール内で読取条件を変えられるプログラムと共に電子メールに組み込み送信する。イメージデータに不満があるときは、使用者はＰＣ等の端末装置２１０にて読取条件設定データの電子メールを受信し電子メール上で条件の変更が必要な箇所の設定値を変更する。変更後、その電子メールを画像入力装置１００宛てに返信する。画像入力装置１００は電子メールを受信し、電子メールに含まれる読取条件設定データを抽出し、不揮発性記憶装置１３３に保存する。使用者は原稿を所持し画像入力装置１００に向かい、不揮発性記憶装置１３３に保存した読取条件を操作ユニットにて呼び出す。呼び出した読取条件で問題あれば条件を変更し、問題なければ読み取りを開始する。呼び出した後の読取条件設定データは読み取り終了後に破棄する。これを使用者の満足するまで繰り返し、望むイメージデータを入手する。
【００５２】
したがって、上述した処理動作例によれば、読取条件設定データの送受信およびＰＣ等の端末装置２１０における読取条件設定データの変更に電子メールを使用することにより、特殊なソフトウェアを使用することなく、ＰＣ等の端末装置の環境に限定されずに使用することができる。
【００５３】
[処理動作例７]
図１３は、この実施の形態にかかる処理動作例７の流れを示すフローチャートである。この図１３にしたがって動作を説明する。まず、画像入力装置１００の操作ユニット１４０にて読取条件を設定し（ステップＳ１３１）、原稿の読み取りを開始する（ステップＳ１３２）。続いて、画像入力装置１００はイメージデータを作成する（ステップＳ１３３）と共に、操作ユニット１４０で指定した読取条件をデータ化した読取条件設定データを作成し（ステップＳ１３４）、さらに電子メールを作成し（ステップＳ１３５）、その電子メールにイメージデータおよび読取条件設定データを添付して端末装置２１０に対して送信する（ステップＳ１３６）。
【００５４】
続いて、端末装置２１０は、上記電子メールを受信し（ステップＳ１３７）、イメージデータを確認する（ステップＳ１３８）。その後、続いて、再読み取りを行うか否かを判断し（ステップＳ１３９）、再読み取りを行う場合、上記受信した電子メールを開き（ステップＳ１４０）、その電子メールを修正（読取条件の変更）し（ステップＳ１４１）、画像入力装置１００に送信する（ステップＳ１４２）。
【００５５】
続いて、画像入力装置１００は、端末装置２１０から送信される電子メールを受信し（ステップＳ１４３）、その電子メールに含まれる読取条件設定データを抽出し（ステップＳ１４４）、不揮発性記憶装置１３３に保存する（ステップＳ１４５）。続いて、不揮発性記憶装置１３３に保存した読取条件を操作ユニット１４０にて呼び出し（ステップＳ１４６）、確認する（ステップＳ１４７）。ここで読取条件設定データがＯＫであれば、ステップＳ１３２に戻って原稿読み取りを実行する。一方、読取条件設定データがＮＧであれば、操作ユニット１４０で読取条件を修正する（ステップＳ１４８）。
【００５６】
このように、この例では画像入力装置１００の操作ユニット１４０にて読取条件を設定し、原稿を読み取った後、以下の動作を実行する。読み取り後に画像入力装置１００はイメージデータと共に、操作ユニット１４０で指定した読取条件をデータ化した読取条件設定データをテキスト形式で作成する。画像入力装置１００は電子メールに読取条件設定データを組み込み送信する。イメージデータに不満があるときは、使用者はＰＣ等の端末装置２１０にて読取条件設定データの電子メールを受信し、電子メール上で条件の変更が必要な箇所の設定値を変更する。変更後、その電子メールを画像入力装置１００宛てに返信する。画像入力装置１００は電子メールを受信し、電子メールに含まれる読取条件設定データを抽出し、不揮発性記憶装置１３３に保存する。使用者は原稿を所持し画像入力装置１００に向かい、不揮発性記憶装置１３３に保存した読取条件を操作ユニット１４０にて呼び出す。呼び出した読取条件で問題あれば条件を変更、問題なければ読取を開始する。呼び出した後の読取条件設定データは読取終了後に破棄する。これを使用者の満足するまで繰り返し、望むイメージデータを入手する。
【００５７】
したがって、上述した処理動作例によれば、読取条件設定データの送受信およびＰＣ等の端末装置２１０における読取条件設定データの変更にテキスト形式のみの電子メールを使用することで、特殊なソフトウェアを使用することなく、ＰＣ等の端末装置２１０の環境に限定されずに使用することができる。また、データ量も少なく抑えられることからＬＡＮ２００等のネットワーク回線への負荷も少なくなる。
【００５８】
[処理動作例８]
図１４は、この実施の形態にかかる処理動作例８の流れを示すフローチャートである。この図１４にしたがって動作を説明する。まず、画像入力装置１００の操作ユニット１４０にて読取条件を設定し（ステップＳ１５１）、原稿の読み取りを開始する（ステップＳ１５２）。続いて、画像入力装置１００はイメージデータを作成する（ステップＳ１５３）と共に、操作ユニット１４０で指定した読取条件をデータ化した読取条件設定データを作成し（ステップＳ１５４）、さらに電子メールを作成し（ステップＳ１５５）、その電子メールにイメージデータおよび読取条件設定データを添付して端末装置２１０に対して送信する（ステップＳ１５６）。
【００５９】
続いて、端末装置２１０は、上記電子メールを受信し（ステップＳ１５７）、イメージデータを確認する（ステップＳ１５８）。その後、続いて、再読み取りを行うか否かを判断し（ステップＳ１５９）、再読み取りを行う場合、読取条件設定データを要求し（ステップＳ１６０）、読取条件設定データを受信する（ステップＳ１６１）。続いて、読取条件設定データを変更し（ステップＳ１６２）、読取条件設定データを画像入力装置１００に送信する（ステップＳ１６３）。
【００６０】
続いて、画像入力装置１００は、端末装置２１０から送信される読取条件設定データを受信し（ステップＳ１６４）、不揮発性記憶装置１３３に保存する（ステップＳ１６５）。続いて、不揮発性記憶装置１３３に保存した読取条件を操作ユニット１４０にて呼び出し（ステップＳ１６６）、確認する（ステップＳ１６７）。ここで読取条件設定データがＯＫであれば、ステップＳ１５２に戻って原稿読み取りを実行する。一方、読取条件設定データがＮＧであれば、操作ユニット１４０で読取条件を修正する（ステップＳ１６８）。
【００６１】
このように、この例では読取設定条件データを作成した後、画像入力装置１００の不揮発性記憶装置１３３に格納し、以下の動作を実行する。使用者がイメージデータを確認した後、読取設定条件データの送信可否を使用者に選択させる。選択方法の例として使用者が画像入力装置の操作ユニット１４０で選択し、ＬＡＮ２００にて画像入力装置１００と接続し選択して、画像入力装置１００宛てに電子メールを送信し選択とあるが、選択を要求する方法は問わない。複数設けることが望ましい。読取条件設定データは一定時間もしくは一定期間送信可否の指示がない場合は読取条件設定データを削除する。
【００６２】
したがって、上述した処理動作例によれば、再読み取りが必要な場合にのみ読取条件の設定データを送信させることで、不要な読取条件の設定データのやりとりがなくなり、ＬＡＮ２００等のネットワーク回線を流れるデータ量も少なく抑えられることから、ネットワーク回線への負荷も少なくなる。
【００６３】
[処理動作例９]
図１５は、この実施の形態にかかる処理動作例９の流れを示すフローチャートである。この図１５にしたがって動作を説明する。まず、画像入力装置１００の操作ユニット１４０にて読取条件を入力し（ステップＳ１７１）、原稿の読み取りを開始する（ステップＳ１７２）。つぎに読取条件設定データを送信するか否かを判断する（ステップＳ１７３）。ここで読取条件設定データを送信すると判断した場合、読み取り後に画像入力装置１００はイメージデータを作成する（ステップＳ１７４）と共に、操作ユニット１４０で指定した読取条件をデータ化した読取条件設定データを作成する（ステップＳ１７５）。続いて、読取条件設定データはコントロールユニット１３０で加工されたイメージデータに添付もしくは組み込み、ＰＣ等の端末装置２１０に送信する（ステップＳ１７６）。
【００６４】
続いて、ＰＣ等の端末装置２１０は、上記イメージデータと共に読取条件設定データを受信する（ステップＳ１７７、Ｓ１７８）。つぎに使用者は受信したイメージデータを確認する（ステップＳ１７９）。続いて、再読み取りを行うか否かを判断し（ステップＳ１８０）、再読み取りを行う場合、読取条件設定データを展開し（ステップＳ１８１）、読取条件を変更し（ステップＳ１８２）、その読取条件データを画像入力装置１００に送信する（ステップＳ１８３）。画像入力装置１００は上記読取条件データを受信し（ステップＳ１８４）、読取条件データを不揮発性記憶装置１３３に保存する（ステップＳ１８５）。続いて、操作ユニット１４０に読取条件データを呼び出し（ステップＳ１８６）、確認する（ステップＳ１８７）。ここで読取条件設定データがＯＫであれば、ステップＳ１７２に戻って原稿読み取りを実行する。一方、読取条件設定データがＮＧであれば、操作ユニット１４０で読取条件を修正する（ステップＳ１８８）。
【００６５】
一方、ステップＳ１７３において読取条件設定データを送信しないと判断した場合、イメージデータを作成し（ステップＳ１８９）、このイメージデータのみを端末装置２１０に送信する（ステップＳ１９０）。端末装置２１０は上記イメージデータを受信する（ステップＳ１９１）。このように、この処理動作例９では、原稿を読み取った後、読取条件設定データの送信可否を使用者に選択させる。
【００６６】
したがって、上述した処理動作例によれば、再読み取りの可能性がある場合にのみ読取条件の設定データを送信させることで、不要な読取条件の設定データの送信がなくなり、ＬＡＮ２００等のネットワーク回線を流れるデータ量も少なく抑えられることから、ネットワーク回線への負荷も少なくなる。
【産業上の利用可能性】
【００６７】
以上のように、本発明にかかる画像入力システムは、ＬＡＮなどのネットワーク上に、イメージスキャナ、複写機、複合機などと、およびパーソナルコンピュータなどの端末装置とを相互通信可能に接続した画像入力システムに適している。
【図面の簡単な説明】
【００６８】
【図１】本発明の実施の形態にかかる画像入力装置およびシステムの構成を示すブロック図である。
【図２】図１におけるシステムの処理動作例１の流れを示すブロック図である。
【図３】この実施の形態にかかる処理動作例１の流れを示すフローチャートである。
【図４】図１におけるシステムの処理動作例２の流れを示すブロック図である。
【図５】この実施の形態にかかる処理動作例２の流れを示すフローチャートである。
【図６】図１におけるシステムの処理動作例３の流れを示すブロック図である。
【図７】この実施の形態にかかる処理動作例３の流れを示すフローチャートである。
【図８】図１におけるシステムの処理動作例４の流れを示すブロック図である。
【図９】この実施の形態にかかる処理動作例４の流れを示すフローチャートである。
【図１０】ＰＣ等の端末装置の画面でのイメージの一例を示す説明図である。
【図１１】この実施の形態にかかる処理動作例５の流れを示すフローチャートである。
【図１２】この実施の形態にかかる処理動作例６の流れを示すフローチャートである。
【図１３】この実施の形態にかかる処理動作例７の流れを示すフローチャートである。
【図１４】この実施の形態にかかる処理動作例８の流れを示すフローチャートである。
【図１５】この実施の形態にかかる処理動作例９の流れを示すフローチャートである。
【符号の説明】
【００６９】
１６  イメージデータ
１７  読取条件設定データ
１８  変更後読取条件設定データ
１００  画像入力装置
１１０  スキャナユニット
１２０  画像処理ユニット
１３０  コントロールユニット
１３１  ＣＰＵ
１３２  ＲＡＭ
１３３  不揮発性記憶装置
１３４  ＬＡＮコントローラ
１３５  記憶装置
１４０  操作ユニット
２００  ＬＡＮ
２１０  端末装置
【図１】
2010041325.tif 000003
【図２】
2010041325.tif 000004
【図３】
2010041325.tif 000005
【図４】
2010041325.tif 000006
【図５】
2010041325.tif 000007
【図６】
2010041325.tif 000008
【図７】
2010041325.tif 000009
【図８】
2010041325.tif 000010
【図９】
2010041325.tif 000011
【図１０】
2010041325.tif 000012
【図１１】
2010041325.tif 000013
【図１２】
2010041325.tif 000014
【図１３】
2010041325.tif 000015
【図１４】
2010041325.tif 000016
【図１５】
2010041325.tif 000017